(57)【要約】【課題】  高齢者にとって使用が便利なプランター装置を、さらには、高齢者施設等において好適に用いられるプランター装置を提供する。【解決手段】  栽培容器本体１と、栽培容器本体１での栽培作業を可能とする位置に配置される椅子５とが一体に備えられてなるプランター装置、及び、4周面に立設固定部５５を備える柱体５１と、一対の柱体５１間に立設固定部５５に固定されることで配置される垂直パネル５２と、４本の柱体５１と４枚の垂直パネル５２とにより形成される平面形態が方形空間の底部に配置される底板５３とからなり、柱体５１と垂直パネル５２と底板５３とからなる方形の栽培スペース７０が増設可能に集合配置されて構成されるプランター装置。【選択図】図１
2011182662.tif 000002
【特許請求の範囲】
【請求項１】
栽培容器本体と、前記栽培容器本体での栽培作業を可能とする位置に配置される椅子とが一体に備えられてなることを特徴とするプランター装置。
【請求項２】
前記椅子がその非使用時に前記栽培容器本体に付設収納される請求項１記載のプランター装置。
【請求項３】
栽培容器本体が高さ調整可能とされてなることを特徴とするプランター装置。
【請求項４】
散水機構を一体に備えることを特徴とするプランター装置。
【請求項５】
栽培スペース内部に給水シートが配置されてなることを特徴とするプランター装置。
【請求項６】
栽培容器本体と、前記栽培容器本体の上面を覆うネット体とからなることを特徴とするプランター装置。
【請求項７】
前記ネット体がバネにより巻き状態に収納される請求項６記載のプランター装置。
【請求項８】
4周面に立設固定部を備える柱体と、前記一対の柱体間に前記立設固定部に固定されることで配置される垂直パネルと、前記４本の柱体と前記４枚の垂直パネルとにより形成される平面形態が方形空間の底部に配置される底板とからなり、
前記柱体と前記垂直パネルと前記底板とからなる方形の栽培スペースが増設可能に集合配置されて構成されることを特徴とするプランター装置。
【請求項９】
平面形態円形の栽培容器本体と、前記栽培容器本体の上縁の外周位置に沿って回転可能に設けられる環状のテーブルと、前記テーブルに一体に取り付けられた複数個の椅子とを備えてなることを特徴とするプランター装置。
【発明の詳細な説明】
【技術分野】
【０００１】
この発明は、高齢者等の使用に、また、高齢者施設等での使用に好適なプランター装置に関する。
【背景技術】
【０００２】
最近では高齢者において健康増進も兼ねて園芸が広く普及している。また、高齢者施設等においてリクレーションの一環として園芸が採用されている。そのような園芸に際してはプランターが使用されるが、現状のものは各種の点において高齢者にとって使用が難しい面があった。
【発明の概要】
【発明が解決しようとする課題】
【０００３】
この発明は上記の事情に鑑みて行ったもので、高齢者にとって使用が便利なプランター装置を提供することを目的とする。さらには、高齢者施設等において好適に用いられるプランター装置を提供することを目的とする。
【課題を解決するための手段】
【０００４】
請求項１の発明では、栽培容器本体と、前記栽培容器本体での栽培作業を可能とする位置に配置される椅子とが一体に備えられてなることを特徴とするプランター装置を提供する。
【０００５】
上記発明の構成によれば、別途椅子を用意することなく椅子に座っての栽培容器本体における栽培作業が可能となる。椅子がその非使用時に栽培容器本体に付設収納されることで、椅子を運び収納する手間が省け、また、非使用時に椅子が邪魔となることがないとともに、プランター装置周囲のスペースが有効使用される。
【０００６】
請求項３の発明では、栽培容器本体が高さ調整可能とされてなることを特徴とするプランター装置を提供する。
【０００７】
上記発明の構成によれば、栽培容器本体が使用者それぞれに対応する高さとできる。
【０００８】
請求項４の発明では散水機構を一体に備えることを特徴とするプランター装置を提供する。
【０００９】
上記発明の構成によれば、散水機構からの栽培スペース上に散水が自動的になされる。
【００１０】
請求項５の発明では、栽培スペース内部に給水シートが配置されてなることを特徴とするプランター装置を提供する。
【００１１】
上記発明の構成によれば、給水シートから栽培スペース内の土中に、自動的に、かつ継続的に安定して水分が供給される。
【００１２】
請求項６の発明では、栽培容器本体と、前記栽培容器本体の上面を覆うネット体とからなることを特徴とするプランター装置を提供する。
【００１３】
上記発明の構成によれば、ネット体により栽培容器本体が覆われて鳥除け機能が発揮される。ネット体がバネにより巻き状態に収納される構成とすることで、ネット体の開閉が容易になされる。
【００１４】
請求項８の発明では、4周面に立設固定部を備える柱体と、前記一対の柱体間に前記立設固定部に固定されることで配置される垂直パネルと、前記４本の柱体と前記４枚の垂直パネルとにより形成される平面形態が方形空間の底部に配置される底板とからなり、前記柱体と前記垂直パネルと前記底板とからなる方形の栽培スペースが増設可能に集合配置されて構成されることを特徴とするプランター装置を提供する。
【００１５】
上記発明の構成によれば、柱体と垂直パネルと底板とにより栽培スペースが形成され、それら栽培スペースが使用者人数に対応して形成される。
【００１６】
請求項９の発明では、平面形態円形の栽培容器本体と、前記栽培容器本体の上縁の外周位置に沿って回転可能に設けられる環状のテーブルと、前記テーブルに一体に取り付けられた複数個の椅子とを備えてなることを特徴とするプランター装置を提供する。
【００１７】
上記発明の構成によれば、椅子に座る作業者はテーブルとともに栽培容器本体の周囲を自動的に移動できる。
【発明の効果】
【００１８】
請求項１の発明によれば、椅子に座っての栽培作業が容易に行える高齢者等に好適に使用されるプランター装置が得られる。請求項３の発明によれば、栽培容器本体の高さが調整でき、立ち状態、座り状態で使用可能である高齢者等に好適に使用されるプランター装置が得られる。
【００１９】
請求項４の発明によれば、散水が自動的に行われる栽培作業が容易なプランター装置が得られる。請求項５の発明によれば、土中への水分供給が自動的に安定して行われる栽培作業が容易なプランター装置が得られる。請求項６の発明によれば、鳥除け機能が発揮されるプランター装置が得られる。
【００２０】
請求項８の発明によれば、部材数を最小限とする無駄のない構成において、かつ、簡単な組み立て作業により栽培スペースを所望の数とするように組み立てられ、高齢者施設等において有効に使用されるプランター装置が得られる。請求項９の発明によれば、高齢者等が楽しく園芸作業が行えるプランター装置が得られる。
【図面の簡単な説明】
【００２１】
【図１】請求項１の発明のプランター装置の実施形態の外観斜視図
【図２】請求項１の発明のプランター装置の実施形態の椅子収納時の外観斜視図
【図３】請求項３、６記載のプランター装置の実施形態の外観斜視図
【図４】請求項３、６記載のプランター装置の実施形態の側面構成図
【図５】鳥除けネット体の他の実施形態を示す斜視図
【図６】鳥除けネット体の他の実施形態の作動説明図
【図７】請求項４、８の発明のプランター装置の実施形態の外観斜視図
【図８】請求項４、８の発明のプランター装置に使用する部材の外観斜視図
【図９】請求項５の発明のプランター装置の実施形態の外観斜視図
【図１０】請求項５の発明のプランター装置の実施形態の正面内部構成図
【図１１】請求項５の発明のプランター装置の実施形態の側面内部構成図
【図１２】請求項９の発明のプランター装置の実施形態の平面構成図
【図１３】請求項９の発明のプランター装置の実施形態の断面構成図
【発明を実施するための形態】
【００２２】
図1、図２は請求項１の発明のプランター装置を示す。プランター装置１は平面形状が長方形の栽培容器本体３とそれに一体に設けられる椅子５とからなる。栽培容器本体３は上方が開放した土が貯留される栽培スペース６を備えるとともに、その下部に栽培スペース６と独立する扁平の収納スペース７を備え、前面部２１下部にその収納スペース７の収納開口９が形成されている。椅子５は断面Ｌ型の前部材１１と、その後部上端にちょう番１０により折り曲げ可能に連結される座板１２と、その後部下面にちょう番１４により起倒可能に設けられる一対の脚１６とからなる。
【００２３】
プランター装置１は、図１に示す状態において、座板１２に座る作業者により栽培スペース６における栽培作業がなされる。椅子５を使用しない場合は、図２を示すように、脚１６それぞれが倒されるとともに座板１２が立てられた状態において前部材１１の水平部１７が収納開口９内に押し入れられて、栽培容器本体３の前面部２１に沿うように収納される。２０はその収納状態を固定する固定具であり、栽培容器本体３の前面部２１と座板１２とを一体に挟むようにようにして収納状態にある椅子５の固定を行っている。
【００２４】
図３、図４は請求項３、６の発明のプランター装置を示す。プランター装置３０は、下台３１上に平面形状が長方形の栽培容器本体３２が高さ調整可能に設けられて構成されている。下台３１の中央にエアシリンダー３３が設置され、そのエアシリンダー３３から上方に突出する作動ロッド３５の上部に一体の押圧板３９により底面が押し上げられることで栽培容器本体３２は上昇し、また連動して下降するようになっている。３６のそれぞれは下台３１上の４隅に立設固定されたガイドロッドであり、このガイドロッド３６のそれぞれが栽培容器本体３２の角部それぞれに設けられたガイド穴３７内を上下作動することで栽培容器本体３２は安定して上昇、下降の動作を行うようになっている。３９はその動作の操作部であり、その操作により栽培容器本体３２を所望の高さとできることで、立った状態、椅子に座った状態、車椅子に乗った状態等それぞれに適した高さにおいての栽培作業が可能となる。
【００２５】
４０は鳥除けネット体であり、その下部に突出された固定部４２のそれぞれが上記ガイド穴３７のそれぞれの上部に嵌入されることで栽培容器本体３１の上部に取り付けられて用いられる。
【００２６】
図５、図６は鳥除けネット体４０の他の実施形態を示す。この鳥除けネット体４０はそのネット部４６が開閉可能となっており、図６に示すように、後部の巻き取り部４８内にバネ力により巻き取られることで容易に開くようになっている。４７は起倒可能に設けられた開閉用の取手で、ネット部４６が閉じられた際にはその取手４７が栽培容器本体３２側に適宜突出して形成された係止部にバネ力に抗して係止されることでその閉じ状態が保たれるようになっている。
【００２７】
図７、図８は請求項４、請求項８の発明のプランター装置を示す。プランター装置５０は、図８に示す柱体５１と側パネル（垂直パネル）５２と長方形の底板５３とにより組み立てられる。なお、側パネル５２は寸法が大小のものが２種類用いられるが、図８において寸法の小さい側パネルの図示は省略している。柱体５１はアルミ製で、その4周面それぞれにその長手方向に沿ってスライド嵌め込み溝（立設固定部）５５を備えている。側パネル５２はその両端縁に沿って上記スライド嵌め込み溝５５への嵌め込み縁５７を備えるとともに、内面の下縁に沿う位置には断面Ｌ型の係止棚５９が取り付けられている。
【００２８】
プランター装置５０の組み立てを説明する。柱体５１への側パネル５２の取り付けはスライド嵌め込み溝５５へ嵌め込み縁５７をスライドさせて嵌め込むことにより行い、そのようにして４本の柱体５１と４枚の垂直パネル５２とにより平面形態が方形空間を形成し、その方形空間の底部に係止棚５９にその４周縁を係止するようにして底板５３を配置し、これにより１個の栽培スペース７０が形成される。さらに、そこにおいて使用した柱体５１と新たに用意した柱体５１との間に側パネル５２を設けて方形空間を形成し、その底部に底板５３を配置して新たな栽培スペース７０を形成していく。
【００２９】
８０は多数の散水穴を備える散水キャップであり、プランター装置５０の中央に位置する２本の柱体５１の上部に差し込まれて取り付けられた散水パイプ８１の上端に装着されている。８２のそれぞれは給水パイプであり、下部に設けられた切除部から上記２本の柱体５１内に導入されて上記散水パイプ８１それぞれの下端に連結されている。このような構成により、給水パイプ８２を介して給水が行われることで散水キャップ８０それぞれから全ての栽培スペース７０上に散水が自動的になされる。上記散水キャップ８０、散水パイプ８１、給水パイプ８２のそれぞれが散水機構を構成する。
【００３０】
図７に示すプランター装置５０は、１２本の柱体５１と９枚の寸法の大きい側パネル５２と８枚の寸法の小さい側パネル５２と６枚の底パネル５３とにより、６個の栽培スペース７０が設けられた構成となっている。側パネル５２それぞれにおいてプランター装置５０の外面に位置する係止棚５９は取り外されている。例えば、図７に示すプランター装置５０におけるＸの位置において、さらに２本の柱体５１と１枚の寸法の大きい側パネル５２と２枚の寸法の小さい側パネル５２と１枚の底パネル５３を用いることで、新たに１個の栽培スペース７０が形成される。
【００３１】
上記構成のプランター装置５０は、部材数を最小限とした無駄のない構成において、かつ、簡単な組み立て作業によりその栽培スペース７０を所望の数とするように組み立てられ、これにより、利用者数が増減してプランター装置５０の使用者数が変化する高齢者施設等において有効に使用される。また、散水機構を備えることで自動的な散水が可能で、散水の手間が省けることでも高齢者において有効に使用される。
【００３２】
図９、図１０、図１１は請求項５の発明のプランター装置を示し、プランター装置８０は凹設された栽培スペース８１を備えるとともに、その下部に給水パン８５が、側位置に給水タンク８２がそれぞれ設けられ、さらに、栽培スペース８１の底部上に配置され、かつ、その両縁部が垂下して給水パン８５内に位置する毛細管現象機能を持つ給水シート８６が設けられて構成されている。
【００３３】
上記構成により、給水タンク８２内の水が排出口８４から給水パン８５内に注がれると、その給水パン８５内に垂下する両縁部から吸い込まれた水が給水シート８６の全体に毛細管現象によりいきわたり、これによりその給水シート８６から栽培スペース８１内の土中に水分が継続的に供給される。８７は給水タンク８２の外部からの給水口である。
【００３４】
図１２、図１３は請求項９の発明のプランター装置を示し、プランター装置１００は平面形態円形の栽培容器本体１０１と、栽培容器本体１０１の上縁の外周位置に沿って設けられる環状のテーブル１０２と、テーブル１０２の下部に一体に取り付けられた複数個の椅子１０３とを備え、栽培容器本体１０１は固定状態に設けられ、テーブル１０２は椅子１０３のそれぞれと一体に下部に設けられたモーター１０５により回転するようになっている。
【００３５】
上記構成により、モーター１０５の駆動によりテーブル１０２と椅子１０３とは栽培容器本体１０１周囲を回転し、これにより椅子１０３に座る作業者は自分が動くことなく栽培容器本体１０１の異なる栽培スペースに対応する位置に移動でき、また、テーブル１０２上において植え付けや収穫に伴う各種の作業が行える。このプランター装置１００によれば、高齢者等が会話を楽しむ中で楽しい園芸作業が可能となる。
【符号の説明】
【００３６】
１    プランター装置
３    栽培容器本体
５    椅子
５０  プランター装置
５１  柱
５２  側パネル（垂直パネル）
５３  底板
７０  栽培スペース
【図１】
2011182662.tif 000003
【図２】
2011182662.tif 000004
【図３】
2011182662.tif 000005
【図４】
2011182662.tif 000006
【図５】
2011182662.tif 000007
【図６】
2011182662.tif 000008
【図７】
2011182662.tif 000009
【図８】
2011182662.tif 000010
【図９】
2011182662.tif 000011
【図１０】
2011182662.tif 000012
【図１１】
2011182662.tif 000013
【図１２】
2011182662.tif 000014
【図１３】
2011182662.tif 000015